(57)【要約】【課題】            主としてパチンコやスロットマシン等の遊技場にあって、客と対応する店員（スタッフ）の数を減らして人件費を節約することができ、客との対応が迅速にすることができ、それによってサービスの大幅な向上を図ることができるという情報伝送システムがなかったという点である。【解決手段】        発信機から送信された情報の無線信号を中継器を介して腕時計タイプとした受信機で受け、その受信機の表示部に情報内容を表示させる情報伝送システムにおいて、前記した発信機をコールボタン装置とし、かつ、腕時計タイプとした受信機を複数台として、その複数台の受信機を複数の担当者が一台づつ装着していることとし、前記した発信機はコールボタン装置に加え、検知センサーとしてあることとする。【選択図】          図１
2018099147.tif 000002
【特許請求の範囲】
【請求項１】
発信機から送信された情報の無線信号を中継器を介して腕時計タイプとした受信機で受け、その受信機の表示部に情報内容を表示させる情報伝送システムにおいて、前記した発信機をコールボタン装置とし、かつ、腕時計タイプとした受信機を複数台として、その複数台の受信機を複数の担当者が一台づつ装着していることを特徴とする情報伝送システム。
【請求項２】
前記した発信機はコールボタン装置に加え、検知センサーとしてあることを特徴とする請求項１に記載の情報伝送システム。
【請求項３】
パチンコやスロットマシンをはじめとする遊技場で使用され、少なくともコールボタン装置は島ごと、もしくは各遊技台ごとに設置されることを特徴とする請求項１または２に記載の情報伝送システム。
【請求項４】
前記した検知センサーは、ジェットカウンターや回収タンク、洗浄機からの異常を示す情報無線信号を発信することを特徴とする請求項２または３に記載の情報伝送システム。
【請求項５】
前記した検知センサーは各遊技台における大当りや不正行為を示す情報無線信号を発信することを特徴とする請求項２または３に記載の情報伝送システム。
【請求項６】
前記したコールボタン装置は遊技台以外の遊技場内にも設置されていることを特徴とする請求項１または３に記載の情報伝送システム。
【請求項７】
前記した腕時計タイプの受信機はベルトがワンタッチで着脱可能としてあることを特徴とする請求項１から６のうち１項に記載の情報伝送システム。
【発明の詳細な説明】
【技術分野】
【０００１】
本発明は情報伝送システム、それも主としてパチンコやスロットマシン等の遊技場（店）において使用して至便な情報伝送システムに関する。
【背景技術】
【０００２】
従来、上記した遊技場にあって、客が、用事があって店員を呼ぶ場合、各遊技台に附設されている呼び出し釦スイッチを入力すると、各遊技台を一まとめとした島の端部に設置されている代表灯が点灯して店員がその点灯を目視確認し、該当島へ赴き、それから呼び出しをした遊技台を確認し、対応する手順となっている。
【０００３】
また、店員にイヤホンを装着させて、連絡を伝える方式も採用されている。この場合にも各島の代表灯を目視確認する作業は行なわれることとなる。
【０００４】
しかしながら、この従来の情報伝送システムにあって、最も大きな弱点は、店員の数の確保であって、的確な位置への店員（スタッフ）の配備が必要となり、それは人件費の高騰に直結することとなる。加えて、店員の客への対応に時間がかかり、迅速な処理が難しい状況となる。
【０００５】
加えて、遊技場内では大きなＢＧＭが流され、イヤホンでも聞きずらかったり、客との対応時に、イヤホンを外してしまうと、他の場所で何が起こっているか把握できなくなってしまう。また、店員は常に何度も各島の代表灯の点灯に気を配り、確認することが要請されることとなる。
【先行技術文献】
【特許文献】
【０００６】
出願人は、本願発明について、先行する技術文献を調査したが、格別に本願発明と関連し、類似していると思われる文献は発見できなかった。
【発明の概要】
【発明が解決しようとする課題】
【０００７】
本発明が解決しようとする問題点は、主としてパチンコやスロットマシン等の遊技場にあって、客と対応する店員（スタッフ）の数を減らして人件費を節約することができ、客との対応が迅速にすることができ、それによってサービスの大幅な向上を図ることができるという情報伝送システムがなかったという点である。
【課題を解決するための手段】
【０００８】
上記した問題点を解決するために、本発明に係る情報伝送システムは、発信機から送信された情報の無線信号を中継器を介して腕時計タイプとした受信機で受け、その受信機の表示部に情報内容を表示させる情報伝送システムにおいて、前記した発信機をコールボタン装置とし、かつ、腕時計タイプとした受信機を複数台として、その複数台の受信機を複数の担当者が一台づつ装着していることを特徴とし、前記した発信機はコールボタン装置に加え、検知センサーとしてあることを特徴としている。
【０００９】
また、本発明に係る情報伝送システムは、パチンコやスロットマシンをはじめとする遊技場で使用され、少なくともコールボタン装置は島ごと、もしくは各遊技台ごとに設置されることを特徴とし、前記した検知センサーは、ジェットカウンターや回収タンク、洗浄機からの異常を示す情報無線信号を発信することを特徴としている。
【００１０】
さらに、本発明に係る情報伝送システムは、前記した検知センサーは各遊技台における大当りや不正行為を示す情報無線信号を発信することを特徴とし、前記したコールボタン装置は遊技台以外の遊技場内にも設置されていることを特徴としている。
【００１１】
そして、本発明に係る情報伝送システムは、前記した腕時計タイプの受信機はベルトがワンタッチで着脱可能としてあることを特徴としている。
【発明の効果】
【００１２】
本発明に係る情報伝送システムは、上記のように構成されている。そのため、店員が一つの島に対して常時代表灯を監視している必要性がなくなり、人員を削減して人件費の節減を図ることが可能となり、受信機に表示された場所へ直行できるため、客との対応が迅速となり、サービスが向上する。
【００１３】
また、店内のＢＧＭの音量等に関係なく必要情報が店員に受信機の表示部に呼んでいる場所が表示されることで、的確に伝送告知され、その呼び出し場所も複数表示可能なため、対応の済んでいない場所は表示が残り、対応漏れがなくなる。その情報は単一人のみでなく複数の担当者（店員）に同時着信されるので、該場所に最も近い担当者が赴くことができるようになる。
【００１４】
さらに、コールボタン装置は遊技台とは別に、休憩室、景品カウンター、トイレ等々店内の必要と思われる場所にも設置することができ、店員の対応を可能としている。
【００１５】
そして、腕時計タイプとした受信機は装着用ベルトがワンタッチで着脱が可能となり、衛生面でも良好とし、加えて、受信器のみを載置型として必要個所に設置しておくことも可能となる。
【図面の簡単な説明】
【００１６】
【図１】本発明をパチンコ店の島に対応させて実施した状態の概要図である。
【図２】腕時計タイプとした受信機を示す図である。
【図３】コールボタン装置を示す図である。
【図４】中継器を示す図である。
【発明を実施するための形態】
【００１７】
図面として示し、実施例で説明したように構成したことで実現した。
【実施例１】
【００１８】
次に、本発明の好ましい実施の一例を図面を参照して説明する。図中１、１‥は各々パチンコ機を示し、そのパチンコ機１、１‥は複数台が横に並列されて一つの島２を構成している。この島２を構成する各パチンコ機１、１‥には遊技中の客が店員を呼び出すことができるコールボタン装置３が設置されている。このコールボタン装置３には呼び出しボタンスイッチのほか、取り消し用のボタンスイッチも付設されている。
【００１９】
また、島２には少なくとも一つ以上の中継器４が設置されており、この中継器４でコールボタン装置３からの発信電波を受信し、それを後述する腕時計タイプの受信機５、５‥へ送信する。このコールボタン装置３からの発信された電波には少なくとも呼び出したパチンコ機１、１‥の台ナンバー情報が含まれている。
【００２０】
さらに、この中継器４は、ジェットカウンター６や遊技球の回収タンク７に設置された異常や満杯を検知するセンサーにより、起動する送信波も受け、受信機５、５‥へ送信することができる。前記した検知センサーは上記の他、回収した遊技球の洗浄装置にも設置することができるほか、不正行為の検知センサーや大当りの検知センサーにも対応できる。
【００２１】
コールボタン装置３は、パチンコ機１、１‥のほか、店内の施設、例えば休憩室、景品カウンター、トイレ等々にも設置することができ、状況に応じて店員を呼び出すことができる。この場合、具体的な場所名を片仮名文字や、アルファベット等の符号で表示することもできる。
【００２２】
一方、腕時計タイプの受信機５は複数台が用意され店員各々に一台づつが貸与され、装着することとなる。この受信機５の表面には表示部５ａが形成され、着信した情報の内容を表示する。具体的に主たるものはパチンコ機１、１‥の台ナンバーで、呼び出しをしている各台のナンバーが複数同時に表示され、対応が済んだナンバーは順次消去していくことができる。店員の誰もが対応していないナンバーはその表示が残ることとなる。
【００２３】
また、この表示部５ａへの表示は台ナンバーのほか、店内の平面配置として、呼び出している場所に点滅表示、点灯表示等を行うこともできる。
【００２４】
この受信機５への着信を装着者に告知する手段として、着信音とバイブレーション機能が併用されるが、店内ＢＧＭを考慮してバイブレーション機能を主とすることもできるもので、充電式として電池交換を不要としている。また、コールボタン装置３の設置場所によってグループ分けをすることもできる。
【００２５】
さらに、この腕時計タイプの受信機５の装着ベルト５ｂは、ワンタッチで受信機５から着脱可能となっている。そのため、衛生的で交換も容易であり、受信機５のみを必要個所へ固定設置して使用することもできる。
【産業上の利用可能性】
【００２６】
本実施例における情報伝送システムは、上記のように構成されている。実施例ではパチンコ店における例を述べているが、これに限定されるものではなく、ホームセンターや量販店、家電販売店、飲食店、フードコート等々にも幅広く応用実施が可能なものとなっている。
【符号の説明】
【００２７】
１    パチンコ機
２    島
３    コールボタン装置
４    中継器
５    腕時計タイプの受信機
５ａ  表示部
５ｂ  ベルト
６    ジェットカウンター
７    回収タンク
【図１】
2018099147.tif 000003
【図２】
2018099147.tif 000004
【図３】
2018099147.tif 000005
【図４】
2018099147.tif 000006